(57)【要約】  レバー部材のディスク検知端に当接したディスクの搬送力が加わった場合、付勢部材の付勢力に抗してレバー部材がディスクの搬送方向に回転することにより、レバー部材の先端部がロック部材をロック解除の方向に移動させ、やがてロック部材が先端部から離れると、付勢部材の付勢力により、レバー部材の長孔がクランプ部材のボス軸によって案内されて移動することでディスク検知端がターンテーブルにクランプされたディスクから離れると共に、クランプ部材のピンがレバー部材の円弧状孔の切り欠き溝部に嵌り込んでレバー部材を位置決めする。
2009090716.tif 000002
【特許請求の範囲】
【請求項１】
挿入されたディスクを搬送ローラで再生デッキに取り付けられたターンテーブル上まで搬送してクランプ部材によりターンテーブルにクランプし、その際に搬送されて来たディスクの外周が当接して当該ディスクの搬送力を受けて回転するレバー部材により、再生デッキをロックしているロック部材を移動させてロック解除を行うディスク再生装置において、
前記クランプ部材は、前記ターンテーブルと対向する面の異なる位置にボス軸とピンを有し、
前記レバー部材は、搬送されてきたディスクの外周が当接するディスク検知端と、前記ディスク検知端と反対側に位置し、前記ロック部材に当接する先端部と、前記ディスク検知端側に位置し、前記ピンが挿入され、大径側の内周縁に切り欠き溝部を持つ円弧状孔と、前記先端部側に位置し、前記ボス軸が挿入され、前記円弧状孔の半径方向に向かって延びる長孔を有し、
前記レバー部材と前記クランプ部材間に架け渡され、前記レバー部材を前記ボス軸を支点としてディスクの搬送方向とは逆方向に回転させるように前記長孔にほぼ平行に付勢力を発生させる付勢部材を備え、
前記ディスク検知端に当接したディスクの搬送力が加わった場合、前記付勢部材の付勢力に抗して前記レバー部材がディスクの搬送方向に回転することにより、前記先端部が前記ロック部材をロック解除の方向に移動させ、やがてロック部材が先端部から離れると、前記付勢部材の付勢力により、前記レバー部材が長孔に挿入されたボス軸に案内されて移動することで前記ディスク検知端が前記ターンテーブルにクランプされたディスクから離れると共に、前記ピンが前記円弧状孔の切り欠き溝部に嵌り込んで前記レバー部材を位置決めすることを特徴とするディスク再生装置。
【請求項２】
円弧状孔と長孔をクランプ部材側に設け、ボス軸とピンをレバー部材側に設けるように入れ替えた構造としたことを特徴とする請求項１記載のディスク再生装置。
【発明の詳細な説明】
【技術分野】
【０００１】
この発明は、車載用のディスク再生装置に係り、特に再生デッキの防振機構のロック動作、ロック解除機能を持つディスク再生装置に関するものである。
【背景技術】
【０００２】
近年、ＣＤやＤＶＤなどの光ディスク（以下、ディスクと呼ぶ）を演奏する車載用のディスク再生装置では、狭い設置スペースに対応するためにディスクの出し入れのトレイを持たず、ディスクを直接スリット状の開口部に挿入するスロットイン方式が採用されている。この方式では、スリット状の開口部からディスクが挿入されると、予め決めたディスクの挿入位置でディスクの外縁を検出して搬送ローラを回転させ、当該搬送ローラとディスクガイドによりディスクを挟んでターンテーブルのある再生位置まで搬送し、ディスクを搬送ローラおよびディスクガイドから開放して上から降りてきたクランパによりターンテーブル上にクランプされる。【０００３】
ところで、ディスク再生装置は、上記主たる動作を行う機構のほかに各種の補助機構を備えている。特に、外部からの振動を受けやすい車載用のディスク再生装置の場合、光ピックアップの移動機構が組み立てられた再生デッキに対して防振機構を設けている。この防振機構は、再生デッキをダンパー等を用いてシャーシベースに支持して振動を遮断するフローティング状態にする構造である。再生デッキは、不使用時やディスクの挿入、排出を行うディスクの搬送動作時にはロック部材により固定（ロック）されており、一方、再生時にはロック部材によるロックが解除されてフローティング状態となる。【０００４】
上記再生デッキのロック動作、ロック解除を含め、上記ディスクの挿入から再生開始までの概略動作について、図９に示すディスク再生装置の内部構造を用いて説明する。
ディスク再生装置に挿入されたディスク（図示せず）は、回転する搬送ローラ１とこの搬送ローラの上側にあるディスクガイド（図示せず）により挟まれて、ディスクのセンタ孔がターンテーブル７の上部に位置するまで搬送される。このときディスク外周と当接したレバー部材２がディスクの搬送力により反時計方向に回転され、レバー部材２の先端部はロック部材３を装置手前方向に移動させる。この移動により、ロック部材３は、モータ１０で回転するギアユニット８のギアと係合するラック部により線移動する。【０００５】
クランプ部材４は、ターンテーブル７の上方に位置し、ロック部材３と係合しているが、上記ロック部材３の移動により下降し始め、クランプ部材４に取り付けられたクランパ５をディスク上面に当接させる。また、搬送ローラ１は、ディスクを搬送するために、上に位置するディスクガイド側にバネ力により常時に付勢されているが、上記ロック部材３の移動によりロック部材３の先端傾斜部が当接することで搬送ローラ１は下降し始め、ディスクガイドから離れていく。このとき、ディスクは、下降するクランパ５の上面方向からの付勢力と、搬送ローラ１の下方向からの付勢力によって狭持され、搬送ローラ１の下降とともに下降し、再生デッキ６上のターンテーブル７にクランプされる。
ディスクがターンテーブル７にクランプされた後もロック部材３はさらに移動し、これによりもう一つのロック部材１６も移動し始め、再生デッキ６はロックが解除されフローティング状態となる。再生デッキ６のロックが解除されると、スピンドルモータが駆動してターンテーブル７にクランプされたディスクが回転され、光ピックアップ１１がディスクの半径方向に移動しながらディスクの記録面の読み取りを行う。【０００６】
上記ロック部材による再生デッキのロック動作、ロック解除動作は、ディスクの挿入、排出時におけるディスクの搬送動作に連動して行われるため、ディスクの搬送力を利用した機構となっている。ディスクの搬送力をロック部材に伝達するレバー部材は、搬送されるディスクの外周が当接することにより回動または位置移動した後、ディスクがターンテーブルにクランプされて回転、再生している時には、別途設けられた固定部材によりディスクから離れた位置で固定される。
なお、再生デッキのロックを解除するためにディスクの搬送力をロック部材に伝達するレバー部材の例として特許文献１があるが、切り換えレバーを用いる機構はこの発明で用いているレバー部材とは動作構造が異なるものである。【０００７】
【特許文献１】特開２００３−１２３３６２号公報
【０００８】
以上のような再生デッキのロック部材にディスクの搬送力を伝達するレバー部材においては、外部からの振動によるレバー部材のガタを無くすために、レバー部材を常時付勢しておく付勢部材等の手段を別途追加する必要があった。そのため部品数が多くなり、製品の薄型化を困難にしている。また、搬送するディスクの搬送力をロック部材に動力伝達する際に、レバー部材がディスクの搬送力を妨げることなく、小さな力で動作する機構にすることが要求される。【０００９】
この発明は、上記問題点を解決するためになされたもので、ディスクの搬送力を伝達して再生デッキのロック解除を行う機構に生じる外部振動によるガタを無くす手段の部品数を削減し薄型化を可能にするディスク再生装置を得ることを目的とする。
【発明の開示】
【００１０】
この発明に係るディスク再生装置は、クランプ部材は、ターンテーブルと対向する面の異なる位置にボス軸とピンを有し、レバー部材は、搬送されてきたディスクの外周が当接するディスク検知端と、ディスク検知端と反対側に位置し、ロック部材に当接する先端部と、ディスク検知端側に位置し、ピンが挿入され、大径側の内周縁に切り欠き溝部を持つ円弧状孔と、先端部側に位置し、ボス軸が挿入され、円弧状孔の半径方向に向かって延びる長孔を有し、レバー部材をボス軸を支点としてディスクの搬送方向とは逆方向に回転させるように長孔にほぼ平行に付勢力を発生させる付勢部材を備え、ディスク検知端に当接したディスクの搬送力が加わった場合、付勢部材の付勢力に抗してレバー部材がディスクの搬送方向に回転することにより、先端部がロック部材をロック解除の方向に移動させ、やがてロック部材が先端部から離れると、付勢部材の付勢力により、レバー部材が長孔に挿入されたボス軸に案内されて移動することでディスク検知端がターンテーブルにクランプされたディスクから離れると共に、ピンが円弧状孔の切り欠き溝部に嵌り込んでレバー部材を位置決めするものである。
【００１１】
この発明によれば、本来用いられているレバー部材、クランプ部材および付勢部材の組み合わせ構造に特徴を持たせるだけで、ディスクの搬送力をロック部材に伝えてロック解除を行わせることに加え、再生時におけるレバー部材の位置決定（固定）を行うことができる。その結果、外部からの振動により発生するレバー部材のガタを無くすために別途専用部材を設ける必要がないので、部品点数が増えず薄型化が可能になる。また、搬送するディスクの搬送力をロック部材に動力伝達する際に、レバー部材がディスクの搬送力を妨げることなく、小さな力で動作する機構を実現できる。
【図面の簡単な説明】
【００１２】
【図１】この発明の実施の形態１によるディスク再生装置に適用されたクランプ部材とレバー部材を示す分解斜視図である。
【図２】この発明の実施の形態１によるディスク再生装置の動作状態を示す説明図である。
【図３】図２の状態におけるレバー部材の拡大図である。
【図４】この発明の実施の形態１によるディスク再生装置の他の動作状態を示す説明図である。
【図５】図４の状態におけるレバー部材の拡大図である。
【図６】この発明の実施の形態１によるディスク再生装置のさらに他の動作状態を示す説明図である。
【図７】図６の状態を示す斜視図である。
【図８】図６の状態におけるレバー部材の拡大図である。
【図９】ディスク再生装置の内部構造を示す斜視図である。
【発明を実施するための最良の形態】
【００１３】
以下、この発明をより詳細に説明するために、この発明を実施するための最良の形態について、添付の図面に従って説明する。
実施の形態１．
図１はこの発明の実施の形態１によるディスク再生装置で使用するクランプ部材とレバー部材の分解斜視図である。図２、図４および図６は、この発明のディスク再生装置の部分構造を、上述した図９に示したクランプ部材４の裏側から見たもので、それぞれディスクの位置状態に対応したロック部材の動作状態を表している。なお、図２、図４および図６の場合、紙面の上側にターンテーブルが位置することになる。図２は、ディスク搬送時において、ディスク１４の外周がレバー部材２に当接する前の状態を示している。図４は、搬送しているディスク１４の外周とレバー部材２が当接した状態を示している。図６は、レバー部材２からロック部材３が離れた状態を示している。
また、図３、図５、図８は、上記図２、図４、図６の動作状態におけるレバー部材２を拡大した図である。さらに図７は、図６の動作状態における各部材の斜視図である。【００１４】
クランプ部材４のターンテーブルと対向する面（裏面）の異なる位置にはピン４ａとボス軸４ｂが所定の間隔で設けられている。レバー部材２は、平板から成型され、ディスクの搬送力をロック部材３に伝達する伝達部材である。レバー部材２とクランプ部材４は、以下に述べるこの発明の特徴構造を備えている。
レバー部材２は、一端に、搬送されてきたディスク１４の外周が当接するディスク検知端２ｃと、ディスク検知端２ｃと反対側に位置する他端に、ロック部材３に当接する先端部２ｄを有している。また、レバー部材２には、クランプ部材４のピン４ａが挿入される円弧状孔２ａとクランプ部材４のボス軸４ｂが挿入される長孔２ｂが設けられている。この場合、長孔２ｂは円弧状孔２ａの半径方向に向かって延びるように設けられている。一方、円弧状孔２ａの大径側の内周縁には切り欠き溝部２ｆが設けられている。また、レバー部材２の円弧状孔２ａの脇のフック２ｅとクランプ部材４の縁部との間には付勢部材（バネ）１２が架け渡され、レバー部材２をボス軸４ｂを支点としてディスクの搬送方向Ｄとは逆方向に回転させるように長孔２ｂにほぼ平行に付勢力を発生するようにしている。【００１５】
ロック部材３は、ディスク１４の搬送方向と平行に延びるようにシャーシベース（図示せず）で滑動可能に支持されており、レバー部材２の先端部２ｄに当接していない側にラック部３ｂが設けられている。また、ラック部３ｂの先にある先端傾斜部３ｃは搬送ローラ１（図９）に当接するようになっている。ラック部３ｂは、ギア９を含むギアユニット８（図９）を介してモータ１０（図９）の回転を直線運動に変換しロック部材３を長手方向に前後進させる動作を行うようになっている。【００１６】
次に、ディスク１４の搬送力によるレバー部材２の動作、ロック部材３の動作について説明する。
図２に示されるように、ディスク搬送時でディスク１４の外周がレバー部材２に当接する前の状態においては、レバー部材２は付勢部材１２の付勢力によりボス軸４ｂを支点として反時計方向Ａに回転された状態となっている。換言すれば、ディスク１４の搬送方向Ｄとは逆の方向に付勢されている。このとき、ピン４ａは円弧状孔２ａの一方の端縁に当接してレバー部材２をそれ以上回転しないように阻止してディスク検知端２ｃを停止させている。このときの付勢部材１２による付勢方向は、レバー部材２に発生する回動力が搬送されて来るディスク１４の搬送力の妨げとならない程度の微小な大きさとなるように設定されている。また、レバー部材２の片側にある先端部２ｄはロック部材３に当接している状態であるが、ロック部材３のラック部３ｂは未だギア９とは噛み合っていない状態にある。図２の状態にあるレバー部材２の拡大図を図３に示す。【００１７】
次に、搬送されて来たディスク１４の外周がレバー部材２のディスク検知端２ｃに当接すると、レバー部材２は、ボス軸４ｂを支点としてディスク１４の搬送力を受けて付勢部材１２の付勢力に抗して時計方向Ｂに回転し、図４、図５に示す状態になる。このとき相対的にピン４ａが円弧状孔２ａに沿って移動するように、円弧状孔２ａがピン４ａの周りを移動する。また、レバー部材２のディスク検知端２ｃと反対側にある先端部２ｄは回転し、その回転力により当接しているロック部材３をディスク１４が搬送されてきた方向と反対方向に付勢して移動させる。やがてロック部材３がある位置まで移動すると、ロック部材３に設けられたラック部３ｂがモータにより回転されるギア９と噛み合い始める。これにより、ロック部材３は噛み合ったギア９の駆動力を受けて引き続き長手方向に移動し、ロック部材３の先端傾斜部３ｃにより搬送ローラ１の下降、クランパ５の下降、再生デッキ６のロック状態の解除動作を行い、再生デッキ６をダンパー等により支持されるフローティング状態にする。結果、再生デッキ６に対する外部からの振動が遮断され、振動の影響を受けない再生を行うことが可能となる。【００１８】
ロック部材３がレバー部材２の先端部２ｄから離れ、搬送が終了したディスク１４がターンテーブルにクランプされたとき、レバー部材２は、図６、図７、図８に示すように、付勢部材１２で付勢されて位置決めされる。すなわち、図８に示すように付勢部材１２の付勢力によってレバー部材２が移動し、このとき長孔２ｂがクランプ部材４のボス軸４ｂによって案内されることでクランプ部材４のピン４ａが円弧状孔２ａの大径側の内周縁の中間に設けられた切り欠き溝部２ｆに嵌り込み、再生時におけるレバー部材２の停止位置が決まる。このとき付勢部材１２の付勢方向とレバー部材２の長穴溝部２ｂの方向はほぼ平行となり、付勢部材１２の付勢力は失われることなくレバー部材２を付勢できるため、外部からの振動等によりレバー部材２にガタが発生することは無い。
上記動作で、切欠き溝部２ｆにクランプ部材４のピン４ａが嵌り込むまでレバー部材２が移動するときには、ロック部材３はギア９の駆動力により移動している状態であり、レバー部材２の先端部２ｄとロック部材３は最早当接していないため、ロック部材３がレバー部材２の移動を妨げるようなことはない。また、レバー部材２は、ターンテーブルにクランプされて回転するディスク１４と離れる方向に移動するため、ディスク１４の回転を妨げるようなことはない。
なお、再生を終了してディスク１４が再生デッキ６から取り外される場合の動作は上記一連の動作の逆の順序で行われるものとする。【００１９】
以上のように、この実施の形態１によれば、クランプ部材４に、ターンテーブルと対向する面の異なる位置にボス軸４ｂとピン４ａを設け、レバー部材２には、搬送されてきたディスクの外周が当接するディスク検知端２ｃと、ディスク検知端２ｃと反対側に位置し、ロック部材３に当接する先端部２ｄと、ディスク検知端２ｃ側に位置し、ピン４ａが挿入され、大径側の内周縁に切り欠き溝部２ｆを持つ円弧状孔２ａと、先端部２ｄ側に位置し、ボス軸４ｂが挿入され、円弧状孔２ａの半径方向に向かって延びる長孔２ｂを設け、付勢部材１２をレバー部材２とクランプ部材４間に架け渡して、レバー部材２をボス軸４ｂを支点としてディスクの搬送方向とは逆方向に回転させるように長孔２ｂにほぼ平行に付勢力を発生するように設けておき、ディスク検知端２ｃに当接したディスクの搬送力が加わった場合、付勢部材１２の付勢力に抗してレバー部材２がディスクの搬送方向に回転することにより、先端部２ｄがロック部材３をロック解除の方向に移動させ、やがてロック部材３が先端部２ｄから離れると、付勢部材１２の付勢力により、長孔２ｂがボス軸４ｂによって案内されて移動することでディスク検知端２ｃがターンテーブルにクランプされたディスクから離れると共に、ピン４ａが円弧状孔２ａの切り欠き溝部２ｆに嵌り込んでレバー部材２を位置決めするようにしている。したがって、本来用いられているレバー部材２、クランプ部材４および付勢部材１２の組み合わせ構造に特徴を持たせるだけで、ディスクの搬送力をロック部材３に伝えてロック解除を行わせることに加え、再生時におけるレバー部材２の位置決定（固定）を行うことができる。その結果、外部からの振動により発生するレバー部材２のガタを無くすために別途専用部材を設ける必要がないので、部品点数が増えず薄型化が可能になる。また、上記例では、レバー部材２と付勢部材１２を上下に重ねて配置することなく、同一高さに配置しているので、その分薄型化が可能である。
なお、上記例では、レバー部材２の円弧状孔２ａの大径側の内周縁に設けた切欠き溝部２ｆは１箇所だけであるが、数箇所に設けることで、レバー部材２を数箇所で位置決めできるようにしてもよい。
【産業上の利用可能性】
【００２０】
以上のように、この発明は、車載用のディスク再生装置などに利用され、装置の小型化を実現するのに適している。
【図１】
2009090716.tif 000003
【図２】
2009090716.tif 000004
【図３】
2009090716.tif 000005
【図４】
2009090716.tif 000006
【図５】
2009090716.tif 000007
【図６】
2009090716.tif 000008
【図７】
2009090716.tif 000009
【図８】
2009090716.tif 000010
【図９】
2009090716.tif 000011
【手続補正書】
【提出日】平成22年3月3日(2010.3.3)
【手続補正１】
【補正対象書類名】明細書
【補正対象項目名】全文
【補正方法】変更
【補正の内容】
【書類名】      明細書
【発明の名称】  ディスク再生装置
【技術分野】
【０００１】
この発明は、車載用のディスク再生装置に係り、特に再生デッキの防振機構のロック動作、ロック解除機能を持つディスク再生装置に関するものである。
【背景技術】
【０００２】
近年、ＣＤやＤＶＤなどの光ディスク（以下、ディスクと呼ぶ）を演奏する車載用のディスク再生装置では、狭い設置スペースに対応するためにディスクの出し入れのトレイを持たず、ディスクを直接スリット状の開口部に挿入するスロットイン方式が採用されている。この方式では、スリット状の開口部からディスクが挿入されると、予め決めたディスクの挿入位置でディスクの外縁を検出して搬送ローラを回転させ、当該搬送ローラとディスクガイドによりディスクを挟んでターンテーブルのある再生位置まで搬送し、ディスクを搬送ローラおよびディスクガイドから開放して上から降りてきたクランパによりターンテーブル上にクランプされる。
【０００３】
ところで、ディスク再生装置は、上記主たる動作を行う機構のほかに各種の補助機構を備えている。特に、外部からの振動を受けやすい車載用のディスク再生装置の場合、光ピックアップの移動機構が組み立てられた再生デッキに対して防振機構を設けている。この防振機構は、再生デッキをダンパー等を用いてシャーシベースに支持して振動を遮断するフローティング状態にする構造である。再生デッキは、不使用時やディスクの挿入、排出を行うディスクの搬送動作時にはロック部材により固定（ロック）されており、一方、再生時にはロック部材によるロックが解除されてフローティング状態となる。
【０００４】
上記再生デッキのロック動作、ロック解除を含め、上記ディスクの挿入から再生開始までの概略動作について、図９に示すディスク再生装置の内部構造を用いて説明する。
ディスク再生装置に挿入されたディスク（図示せず）は、回転する搬送ローラ１とこの搬送ローラの上側にあるディスクガイド（図示せず）により挟まれて、ディスクのセンタ孔がターンテーブル７の上部に位置するまで搬送される。このときディスク外周と当接したレバー部材２がディスクの搬送力により反時計方向に回転され、レバー部材２の先端部はロック部材３を装置手前方向に移動させる。この移動により、ロック部材３は、モータ１０で回転するギアユニット８のギアと係合するラック部により線移動する。
【０００５】
クランプ部材４は、ターンテーブル７の上方に位置し、ロック部材３と係合しているが、上記ロック部材３の移動により下降し始め、クランプ部材４に取り付けられたクランパ５をディスク上面に当接させる。また、搬送ローラ１は、ディスクを搬送するために、上に位置するディスクガイド側にバネ力により常時に付勢されているが、上記ロック部材３の移動によりロック部材３の先端傾斜部が当接することで搬送ローラ１は下降し始め、ディスクガイドから離れていく。このとき、ディスクは、下降するクランパ５の上面方向からの付勢力と、搬送ローラ１の下方向からの付勢力によって狭持され、搬送ローラ１の下降とともに下降し、再生デッキ６上のターンテーブル７にクランプされる。
ディスクがターンテーブル７にクランプされた後もロック部材３はさらに移動し、これによりもう一つのロック部材１６も移動し始め、再生デッキ６はロックが解除されフローティング状態となる。再生デッキ６のロックが解除されると、スピンドルモータが駆動してターンテーブル７にクランプされたディスクが回転され、光ピックアップ１１がディスクの半径方向に移動しながらディスクの記録面の読み取りを行う。
【０００６】
上記ロック部材による再生デッキのロック動作、ロック解除動作は、ディスクの挿入、排出時におけるディスクの搬送動作に連動して行われるため、ディスクの搬送力を利用した機構となっている。ディスクの搬送力をロック部材に伝達するレバー部材は、搬送されるディスクの外周が当接することにより回動または位置移動した後、ディスクがターンテーブルにクランプされて回転、再生している時には、別途設けられた固定部材によりディスクから離れた位置で固定される。
なお、再生デッキのロックを解除するためにディスクの搬送力をロック部材に伝達するレバー部材の例として特許文献１があるが、切り換えレバーを用いる機構はこの発明で用いているレバー部材とは動作構造が異なるものである。
【特許文献】
【０００７】
【特許文献１】
特開２００３−１２３３６２号公報
【発明の概要】
【発明が解決しようとする課題】
【０００８】
以上のような再生デッキのロック部材にディスクの搬送力を伝達するレバー部材においては、外部からの振動によるレバー部材のガタを無くすために、レバー部材を常時付勢しておく付勢部材等の手段を別途追加する必要があった。そのため部品数が多くなり、製品の薄型化を困難にしている。また、搬送するディスクの搬送力をロック部材に動力伝達する際に、レバー部材がディスクの搬送力を妨げることなく、小さな力で動作する機構にすることが要求される。
【０００９】
この発明は、上記問題点を解決するためになされたもので、ディスクの搬送力を伝達して再生デッキのロック解除を行う機構に生じる外部振動によるガタを無くす手段の部品数を削減し薄型化を可能にするディスク再生装置を得ることを目的とする。
【課題を解決するための手段】
【００１０】
この発明に係るディスク再生装置は、クランプ部材は、ターンテーブルと対向する面の異なる位置にボス軸とピンを有し、レバー部材は平板から成型され、搬送されてきたディスクの外周が当接するディスク検知端と、ディスク検知端と反対側に位置し、ロック部材に当接する先端部と、ディスク検知端側に位置し、ピンが挿入され、大径側の内周縁に切り欠き溝部を持つ円弧状孔と、先端部側に位置し、ボス軸が挿入され、円弧状孔の半径方向に向かって延びる長孔を有し、レバー部材をボス軸を支点としてディスクの搬送方向とは逆方向に回転させるように長孔にほぼ平行に付勢力を発生させる付勢部材を備え、ディスク検知端に当接したディスクの搬送力が加わった場合、付勢部材の付勢力に抗してレバー部材がディスクの搬送方向に回転することにより、先端部がロック部材をロック解除の方向に移動させ、やがてロック部材が先端部から離れると、付勢部材の付勢力により、レバー部材が長孔に挿入されたボス軸に案内されて移動することでディスク検知端がターンテーブルにクランプされたディスクから離れると共に、ピンが円弧状孔の切り欠き溝部に嵌り込んでレバー部材を位置決めするものである。
【発明の効果】
【００１１】
この発明によれば、本来用いられているレバー部材、クランプ部材および付勢部材の組み合わせ構造に特徴を持たせるだけで、ディスクの搬送力をロック部材に伝えてロック解除を行わせることに加え、再生時におけるレバー部材の位置決定（固定）を行うことができる。その結果、外部からの振動により発生するレバー部材のガタを無くすために別途専用部材を設ける必要がないので、部品点数が増えず薄型化が可能になる。また、搬送するディスクの搬送力をロック部材に動力伝達する際に、レバー部材がディスクの搬送力を妨げることなく、小さな力で動作する機構を実現できる。
【図面の簡単な説明】
【００１２】
【図１】  この発明の実施の形態１によるディスク再生装置に適用されたクランプ部材とレバー部材を示す分解斜視図である。
【図２】  この発明の実施の形態１によるディスク再生装置の動作状態を示す説明図である。
【図３】  図２の状態におけるレバー部材の拡大図である。
【図４】  この発明の実施の形態１によるディスク再生装置の他の動作状態を示す説明図である。
【図５】  図４の状態におけるレバー部材の拡大図である。
【図６】  この発明の実施の形態１によるディスク再生装置のさらに他の動作状態を示す説明図である。
【図７】  図６の状態を示す斜視図である。
【図８】  図６の状態におけるレバー部材の拡大図である。
【図９】  ディスク再生装置の内部構造を示す斜視図である。
【発明を実施するための形態】
【００１３】
以下、この発明をより詳細に説明するために、この発明を実施するための形態について、添付の図面に従って説明する。
実施の形態１．
図１はこの発明の実施の形態１によるディスク再生装置で使用するクランプ部材とレバー部材の分解斜視図である。図２、図４および図６は、この発明のディスク再生装置の部分構造を、上述した図９に示したクランプ部材４の裏側から見たもので、それぞれディスクの位置状態に対応したロック部材の動作状態を表している。なお、図２、図４および図６の場合、紙面の上側にターンテーブルが位置することになる。図２は、ディスク搬送時において、ディスク１４の外周がレバー部材２に当接する前の状態を示している。図４は、搬送しているディスク１４の外周とレバー部材２が当接した状態を示している。図６は、レバー部材２からロック部材３が離れた状態を示している。
また、図３、図５、図８は、上記図２、図４、図６の動作状態におけるレバー部材２を拡大した図である。さらに図７は、図６の動作状態における各部材の斜視図である。
【００１４】
クランプ部材４のターンテーブルと対向する面（裏面）の異なる位置にはピン４ａとボス軸４ｂが所定の間隔で設けられている。レバー部材２は、平板から成型され、ディスクの搬送力をロック部材３に伝達する伝達部材である。レバー部材２とクランプ部材４は、以下に述べるこの発明の特徴構造を備えている。
レバー部材２は、一端に、搬送されてきたディスク１４の外周が当接するディスク検知端２ｃと、ディスク検知端２ｃと反対側に位置する他端に、ロック部材３に当接する先端部２ｄを有している。また、レバー部材２には、クランプ部材４のピン４ａが挿入される円弧状孔２ａとクランプ部材４のボス軸４ｂが挿入される長孔２ｂが設けられている。この場合、長孔２ｂは円弧状孔２ａの半径方向に向かって延びるように設けられている。一方、円弧状孔２ａの大径側の内周縁には切り欠き溝部２ｆが設けられている。また、レバー部材２の円弧状孔２ａの脇のフック２ｅとクランプ部材４の縁部との間には付勢部材（バネ）１２が架け渡され、レバー部材２をボス軸４ｂを支点としてディスクの搬送方向Ｄとは逆方向に回転させるように長孔２ｂにほぼ平行に付勢力を発生するようにしている。
【００１５】
ロック部材３は、ディスク１４の搬送方向と平行に延びるようにシャーシベース（図示せず）で滑動可能に支持されており、レバー部材２の先端部２ｄに当接していない側にラック部３ｂが設けられている。また、ラック部３ｂの先にある先端傾斜部３ｃは搬送ローラ１（図９）に当接するようになっている。ラック部３ｂは、ギア９を含むギアユニット８（図９）を介してモータ１０（図９）の回転を直線運動に変換しロック部材３を長手方向に前後進させる動作を行うようになっている。
【００１６】
次に、ディスク１４の搬送力によるレバー部材２の動作、ロック部材３の動作について説明する。
図２に示されるように、ディスク搬送時でディスク１４の外周がレバー部材２に当接する前の状態においては、レバー部材２は付勢部材１２の付勢力によりボス軸４ｂを支点として反時計方向Ａに回転された状態となっている。換言すれば、ディスク１４の搬送方向Ｄとは逆の方向に付勢されている。このとき、ピン４ａは円弧状孔２ａの一方の端縁に当接してレバー部材２をそれ以上回転しないように阻止してディスク検知端２ｃを停止させている。このときの付勢部材１２による付勢方向は、レバー部材２に発生する回動力が搬送されて来るディスク１４の搬送力の妨げとならない程度の微小な大きさとなるように設定されている。また、レバー部材２の片側にある先端部２ｄはロック部材３に当接している状態であるが、ロック部材３のラック部３ｂは未だギア９とは噛み合っていない状態にある。図２の状態にあるレバー部材２の拡大図を図３に示す。
【００１７】
次に、搬送されて来たディスク１４の外周がレバー部材２のディスク検知端２ｃに当接すると、レバー部材２は、ボス軸４ｂを支点としてディスク１４の搬送力を受けて付勢部材１２の付勢力に抗して時計方向Ｂに回転し、図４、図５に示す状態になる。このとき相対的にピン４ａが円弧状孔２ａに沿って移動するように、円弧状孔２ａがピン４ａの周りを移動する。また、レバー部材２のディスク検知端２ｃと反対側にある先端部２ｄは回転し、その回転力により当接しているロック部材３をディスク１４が搬送されてきた方向と反対方向に付勢して移動させる。やがてロック部材３がある位置まで移動すると、ロック部材３に設けられたラック部３ｂがモータにより回転されるギア９と噛み合い始める。これにより、ロック部材３は噛み合ったギア９の駆動力を受けて引き続き長手方向に移動し、ロック部材３の先端傾斜部３ｃにより搬送ローラ１の下降、クランパ５の下降、再生デッキ６のロック状態の解除動作を行い、再生デッキ６をダンパー等により支持されるフローティング状態にする。結果、再生デッキ６に対する外部からの振動が遮断され、振動の影響を受けない再生を行うことが可能となる。
【００１８】
ロック部材３がレバー部材２の先端部２ｄから離れ、搬送が終了したディスク１４がターンテーブルにクランプされたとき、レバー部材２は、図６、図７、図８に示すように、付勢部材１２で付勢されて位置決めされる。すなわち、図８に示すように付勢部材１２の付勢力によってレバー部材２が移動し、このとき長孔２ｂがクランプ部材４のボス軸４ｂによって案内されることでクランプ部材４のピン４ａが円弧状孔２ａの大径側の内周縁の中間に設けられた切り欠き溝部２ｆに嵌り込み、再生時におけるレバー部材２の停止位置が決まる。このとき付勢部材１２の付勢方向とレバー部材２の長穴溝部２ｂの方向はほぼ平行となり、付勢部材１２の付勢力は失われることなくレバー部材２を付勢できるため、外部からの振動等によりレバー部材２にガタが発生することは無い。
上記動作で、切欠き溝部２ｆにクランプ部材４のピン４ａが嵌り込むまでレバー部材２が移動するときには、ロック部材３はギア９の駆動力により移動している状態であり、レバー部材２の先端部２ｄとロック部材３は最早当接していないため、ロック部材３がレバー部材２の移動を妨げるようなことはない。また、レバー部材２は、ターンテーブルにクランプされて回転するディスク１４と離れる方向に移動するため、ディスク１４の回転を妨げるようなことはない。
なお、再生を終了してディスク１４が再生デッキ６から取り外される場合の動作は上記一連の動作の逆の順序で行われるものとする。
【００１９】
以上のように、この実施の形態１によれば、クランプ部材４に、ターンテーブルと対向する面の異なる位置にボス軸４ｂとピン４ａを設け、レバー部材２には、搬送されてきたディスクの外周が当接するディスク検知端２ｃと、ディスク検知端２ｃと反対側に位置し、ロック部材３に当接する先端部２ｄと、ディスク検知端２ｃ側に位置し、ピン４ａが挿入され、大径側の内周縁に切り欠き溝部２ｆを持つ円弧状孔２ａと、先端部２ｄ側に位置し、ボス軸４ｂが挿入され、円弧状孔２ａの半径方向に向かって延びる長孔２ｂを設け、付勢部材１２をレバー部材２とクランプ部材４間に架け渡して、レバー部材２をボス軸４ｂを支点としてディスクの搬送方向とは逆方向に回転させるように長孔２ｂにほぼ平行に付勢力を発生するように設けておき、ディスク検知端２ｃに当接したディスクの搬送力が加わった場合、付勢部材１２の付勢力に抗してレバー部材２がディスクの搬送方向に回転することにより、先端部２ｄがロック部材３をロック解除の方向に移動させ、やがてロック部材３が先端部２ｄから離れると、付勢部材１２の付勢力により、長孔２ｂがボス軸４ｂによって案内されて移動することでディスク検知端２ｃがターンテーブルにクランプされたディスクから離れると共に、ピン４ａが円弧状孔２ａの切り欠き溝部２ｆに嵌り込んでレバー部材２を位置決めするようにしている。したがって、本来用いられているレバー部材２、クランプ部材４および付勢部材１２の組み合わせ構造に特徴を持たせるだけで、ディスクの搬送力をロック部材３に伝えてロック解除を行わせることに加え、再生時におけるレバー部材２の位置決定（固定）を行うことができる。その結果、外部からの振動により発生するレバー部材２のガタを無くすために別途専用部材を設ける必要がないので、部品点数が増えず薄型化が可能になる。また、上記例では、レバー部材２と付勢部材１２を上下に重ねて配置することなく、同一高さに配置しているので、その分薄型化が可能である。
なお、上記例では、レバー部材２の円弧状孔２ａの大径側の内周縁に設けた切欠き溝部２ｆは１箇所だけであるが、数箇所に設けることで、レバー部材２を数箇所で位置決めできるようにしてもよい。
【００２０】
以上のように、この発明は、車載用のディスク再生装置などに利用され、装置の小型化を実現するのに適している。
【手続補正２】
【補正対象書類名】特許請求の範囲
【補正対象項目名】全文
【補正方法】変更
【補正の内容】
【特許請求の範囲】
【請求項１】
挿入されたディスクを搬送ローラで再生デッキに取り付けられたターンテーブル上まで搬送してクランプ部材によりターンテーブルにクランプし、その際に搬送されて来たディスクの外周が当接して当該ディスクの搬送力を受けて回転するレバー部材により、再生デッキをロックしているロック部材を移動させてロック解除を行うディスク再生装置において、
前記クランプ部材は、前記ターンテーブルと対向する面の異なる位置にボス軸とピンを有し、
前記レバー部材は平板から成型され、搬送されてきたディスクの外周が当接するディスク検知端と、前記ディスク検知端と反対側に位置し、前記ロック部材に当接する先端部と、前記ディスク検知端側に位置し、前記ピンが挿入され、大径側の内周縁に切り欠き溝部を持つ円弧状孔と、前記先端部側に位置し、前記ボス軸が挿入され、前記円弧状孔の半径方向に向かって延びる長孔を有し、
前記レバー部材と前記クランプ部材間に架け渡され、前記レバー部材を前記ボス軸を支点としてディスクの搬送方向とは逆方向に回転させるように前記長孔にほぼ平行に付勢力を発生させる付勢部材を備え、
前記ディスク検知端に当接したディスクの搬送力が加わった場合、前記付勢部材の付勢力に抗して前記レバー部材がディスクの搬送方向に回転することにより、前記先端部が前記ロック部材をロック解除の方向に移動させ、やがてロック部材が先端部から離れると、前記付勢部材の付勢力により、前記レバー部材が長孔に挿入されたボス軸に案内されて移動することで前記ディスク検知端が前記ターンテーブルにクランプされたディスクから離れると共に、前記ピンが前記円弧状孔の切り欠き溝部に嵌り込んで前記レバー部材を位置決めすることを特徴とするディスク再生装置。
【請求項２】
円弧状孔と長孔をクランプ部材側に設け、ボス軸とピンをレバー部材側に設けるように入れ替えた構造としたことを特徴とする請求項１記載のディスク再生装置。
【国際調査報告】
2009090716.tif 000012
2009090716.tif 000013
2009090716.tif 000014
2009090716.tif 000015